(57)【要約】【課題】  遊技機を多数台有する遊技場で、稼働中に不正行為等により電源断があった遊技機につき、遊技の邪魔をせず早期に発見できる遊技機を提供する。【解決手段】  賞媒体の払出数の多少に係わる制御を行う制御手段３２とその電源回路３０を備える遊技機において、電源断表示灯ＬＰと、この電源断表示灯の点消灯周期が遊技場稼働中の電源断の有無によって異なるように電源断表示灯の点消灯スイッチング制御をする電源断表示灯制御手段４１を設ける。オン作動により、点消灯スイッチング制御を電源断表示灯に対して給電して行わせる電源断確認スイッチ４２を設ける。電源断確認スイッチを遊技場閉店後にオン作動させ電源断表示灯を点消灯させることで遊技の邪魔をせず、早期に電源断を発見する。電源断は、自他遊技機の電源断表示灯ＬＰの点消灯周期を比較対照して発見する。【選択図】        図３
2005066172.tif 000002
【特許請求の範囲】
【請求項１】
賞媒体の払出数の多少に係わる制御を行う制御手段と、この制御手段に電源を供給する電源回路とを備える遊技機において、
前記制御手段への前記電源の投入後に該電源の断が発生したか否かを報知する電源断表示灯と、
該電源断表示灯の点消灯スイッチング制御の形態が予め設定、保持され、前記電源回路からの前記制御手段への電源供給開始時に、初期化された制御手順位置から前記点消灯スイッチング制御を前記電源断表示灯に対して未給電状態で開始する電源断表示灯制御手段と、
オン作動により該電源断表示灯制御手段による前記点消灯スイッチング制御を該オン作動時点から前記電源断表示灯に対して給電状態で行わせる電源断確認スイッチとを具備することを特徴とする遊技機。
【請求項２】
請求項１に記載の遊技機において、遊技機はパチンコ機であり、該パチンコ機は、その前面開閉扉の開操作によりオン作動される扉開放センサを備え、電源断確認スイッチは、該扉開放センサに兼用され、電源断表示灯は、前記前面開閉扉の前面側に設けられることを特徴とする遊技機。
【発明の詳細な説明】
【技術分野】
【０００１】
本発明は、稼働中に電源断があったことを電源復帰後に報知可能な遊技機に関するものである。
【背景技術】
【０００２】
この種の電源断報知機能をもつ遊技機には、従来、次のようなものがあった。すなわち、遊技機を制御する制御回路への電源断後、その制御回路に設けられた揮発性メモリの記憶内容の消去（ＲＡＭクリア）操作と共に電源再投入操作をした時に、実際にＲＡＭクリアが行われたか否かを表示装置により報知するという遊技機があった（例えば、特許文献１参照）。
これによれば、ＲＡＭクリアを報知する上記表示装置によって電源断があったことも報知される。
【特許文献１】特開２００１−３４７０３２号公報（特許請求の範囲等）
【発明の開示】
【発明が解決しようとする課題】
【０００３】
しかしながら上記従来技術では、ＲＡＭクリアと共に電源再投入をした後、即座に電源断−電源再投入される（このときＲＡＭクリアはされない）と、上記報知は行われなかった。
そこで、上記従来技術において、ＲＡＭクリアとは関係なく、電源復帰時には必ず電源断があったことを報知するように構成することが考えられる。
しかし、単に電源復帰時に電源断報知するように構成すると、遊技機稼働中（営業時間中）の、電源断からの電源復帰時に報知表示が行われてしまう。このため、上記報知表示後においてその遊技機で遊技をしようとする遊技者にとっては遊技の邪魔となる。また、遊技場管理者側にとっては、報知表示の停止の操作を遊技機稼働中に行うと遊技者の遊技を一時的に阻害するので後回しにすることになり、そのうち、閉店時間を迎えて電源が落とされる等により、上記報知表示（稼働中の電源断）を見逃してしまう虞があった。上記報知表示を一定時間後に自動停止するように構成すれば、その報知表示が遊技の邪魔をすることがなくなるが、遊技場管理者側にとっては、報知表示を見逃す虞が更に高まる。
【０００４】
ところで、遊技場の稼働中に、ある遊技機のみが電源断することは、その遊技機の過電流等に対する保護機能が作動した場合以外は通常あり得ない。遊技場においては、設置された多数台の遊技機の電源は開店前に１回、一斉に投入されるものであり、また閉店後に１回、一斉に遮断されるのが通常であるからである。したがって、稼働中に、ある遊技機が電源断することは、特別な場合、多くは不正行為があった場合と考えられる。
すなわち遊技機、例えばパチンコ機においては、パチンコ機全体の制御を司る制御回路（主基板）部分を交換したり、この制御回路に接続されたハーネス部分を別の装置を付けて交換する等により不正行為がなされることが多い。このような不正行為が遊技場の稼働中においてなされる場合には、そのパチンコ機の主基板への電源は、殆どの場合、一時遮断される。
したがって、このような遊技場の稼働中に、ある遊技機が電源断したことを遊技場管理者側で知ることができれば、この種の不正行為を知ることができることになる。この場合、遊技者の遊技の邪魔をせず、しかも遊技場管理者側において確実に、かつ早い時点でそれを知り得ることが望まれる。
【０００５】
本発明は、上記のような要望に鑑みなされたもので、多数台の遊技機が設置された遊技場において、稼働中に電源断があった遊技機について、電源復帰後にそれを報知可能、特に、遊技者の遊技の邪魔をせず、しかも遊技場管理者側において確実に、かつ早い時点でそれを知ることができ、遊技場の稼働中における不正行為を確実かつ早期に発見できる遊技機を提供することを目的とする。
【課題を解決するための手段】
【０００６】
上記目的を達成するために、特許請求の範囲の請求項１に記載の発明は、賞媒体の払出数の多少に係わる制御を行う制御手段と、この制御手段に電源を供給する電源回路とを備える遊技機において、前記制御手段への前記電源の投入後に該電源の断が発生したか否かを報知する電源断表示灯と、該電源断表示灯の点消灯スイッチング制御の形態が予め設定、保持され、前記電源回路からの前記制御手段への電源供給開始時に、初期化された制御手順位置から前記点消灯スイッチング制御を前記電源断表示灯に対して未給電状態で開始する電源断表示灯制御手段と、オン作動により該電源断表示灯制御手段による前記点消灯スイッチング制御を該オン作動時点から前記電源断表示灯に対して給電状態で行わせる電源断確認スイッチとを具備することを特徴とする。
【０００７】
また特許請求の範囲の請求項２に記載の発明は、上記請求項１に記載の発明において、遊技機はパチンコ機であり、該パチンコ機は、その前面開閉扉の開操作によりオン作動される扉開放センサを備え、電源断確認スイッチは、該扉開放センサに兼用され、電源断表示灯は、前記前面開閉扉の前面側に設けられることを特徴とする。
【発明の効果】
【０００８】
特許請求の範囲の請求項１に記載の発明によれば、多数台の遊技機が設置された遊技場において、稼働中に電源断があった遊技機について、電源復帰後にそれを報知可能である。特に、電源断確認スイッチの遊技場閉店後のオン作動により、遊技者の遊技の邪魔をせず、しかも遊技場管理者側において確実に、かつ早い時点でそれを知ることができる。したがって、特に、遊技場の稼働中における不正行為の確実かつ早期発見に役立つ。
【０００９】
また特許請求の範囲の請求項２に記載の発明によれば、遊技機が前面開閉扉の開操作によりオン作動される扉開放センサを備えるパチンコ機である場合に、電源断確認スイッチを扉開放センサに兼用させ、電源断表示灯を上記前面開閉扉の前面側に設けたので、以下の効果が得られる。
すなわち、パチンコ遊技場においては、島と呼ばれる領域の左右方向に多数台のパチンコ機が配列されているのが一般的であり、また閉店後、電源を落とす前、釘調整等のためパチンコ機全台につき、各々前面開閉扉を開放しておくことが多い。このような場合において、本発明によれば、パチンコ機の前面開閉扉の開放に伴って、つまり何ら特別の操作をすることなく、しかも、配列された多数台のパチンコ機について、電源断があったか否かの表示を各パチンコ機配列毎に一度に見渡せ、不正行為の発見を簡単かつ効率よく行うことができる。
【発明を実施するための最良の形態】
【００１０】
以下、本発明の実施の形態を図面に基づき説明する。なお、各図間において、同一符号は同一又は相当部分を示す。
図１は、本発明による遊技機、ここではパチンコ機の一実施形態の概略を示す正面図、図２は同じく前面開閉扉を開放した状態で示す斜視図である。
図中、１はパチンコ機の遊技盤、１ａは遊技盤面（盤面）であり、この盤面１ａ上には、遊技球（図示せず）を遊技領域２に誘導する誘導路３を形成する内，外レール４，５が弧状に取り付けられている。上記盤面１ａ上の内，外レール４，５の内側（遊技領域２）には、種々の盤面部品、例えば図柄表示装置６、図柄始動入賞口７、通常の入賞口８、大入賞口９、風車１０、装飾表示灯１１等が設けられている。
上記大入賞口９は、開放時に、他の入賞口７，８…よりも入賞開口が著しく大きくなるように構成されている。
【００１１】
また、盤面１ａ上のレール４，５内側の最下部には、入賞しなかった遊技球が入球するアウト口１２が設けられ、更に、上記各部品６〜１１やアウト口１２を避けた適宜箇所には、多数の遊技釘１３（一部のみ図示）が打ち込まれている。
盤面１ａは、透明ガラス板１４及びこれを保持する枠体１５で主構成をなす前面開閉扉（ガラス扉）１６の上記透明ガラス板１４により覆われ、遊技球の遊技領域２からの離脱が防止される。前面開閉扉１６は、盤面１ａを開閉自在にヒンジ部１７に支持されている。
【００１２】
盤面１ａの下方には、遊技球の受け皿１８と遊技球を発射するためのハンドル１９が設けられている。このハンドル１９は、遊技者が握って回動させることにより遊技球発射装置（図示せず）を起動させ、上記受け皿１８内の遊技球（図示せず）を遊技領域２内に打ち込むことが可能である。
【００１３】
なお、２０は遊技盤１及び上記遊技球発射装置等からなるパチンコ機本体を指し、この本体２０は、矩形状の枠体２１内に開閉自在に上記ヒンジ部１７に支持されている。遊技盤１の裏面には後述主制御回路を含む各種制御回路が取り付けられており、本体２０を図示するように開くことにより各種制御回路の保守点検が可能であり、各種制御回路に対する不正行為も同様に可能となる。
【００１４】
本発明においては、後述主制御回路への電源の投入後に該電源の断が発生したか否かを報知する電源断表示灯ＬＰが、前面開閉扉１６の枠体１５前面側上部に複数個、ここでは５個（ＬＰ１〜ＬＰ５）、左右方向に並設されている。この電源断表示灯ＬＰ（ＬＰ１〜ＬＰ５）は、前面開閉扉１６の開操作によりオン作動する扉開放センサ２２（図２参照）によって点表示灯動作する扉開放表示灯を兼用している。扉開放センサ２２は、ここでは押釦スイッチからなり、前面開閉扉１６の裏面に設けられた突起２３によって、前面開閉扉１６閉成時にオフ、図示開放時にオンされる。
【００１５】
図３は、図１及び図２に示したパチンコ機の要部を示すブロック図である。
この図から分かるように、パチンコ機は、入賞球センサ３１…、主制御回路３２、図柄制御回路３３、効果音制御回路３４、表示灯制御回路３５を備えて構成されている。また、大入賞口作動ソレノイド３６及び賞球払出制御回路３７等も備えている。なお図中３０は、各制御回路３２〜３５，３７等に電源を供給する電源回路である。
【００１６】
上記入賞球センサ３１は、入賞球を検出するスイッチからなり、図１に示す盤面１ａに設けられた入賞口７〜９に一対一対応で設けられている。このうち３１ａは、始動入賞口７への入賞球を検出する始動入賞球センサである。
【００１７】
主制御回路３２は、上記制御回路３３〜３５，３７、大入賞口作動ソレノイド３６等（パチンコ機全体）の制御を司る回路であり、入力ポート３２ａ、ＣＰＵ３２ｂ、出力ポート３２ｃ、ＲＯＭ３２ｄ及びＲＡＭ３２ｅ等を備えてなる。
ＲＯＭ３２ｄには、ＣＰＵ３２ｂが読み込んで実行するパチンコ遊技のプログラム及びこのプログラムの実行時に必要なデータ等が格納されている。ＲＡＭ３２ｅは、上記プログラムの実行時の作業領域等に使用される。
【００１８】
図３に示すように、主制御回路３２には、入賞球センサ３１…（始動入賞球センサ３１ａを含む。）が接続されており、主制御回路３２の入力ポート３２ａは、それら入賞球センサ３１…からの信号を受け、ＣＰＵ３２ｂに与える。
ＣＰＵ３２ｂは、入賞球を検出すると、出力ポート３２ｃを介して図柄制御回路３３、効果音制御回路３４、表示灯制御回路３５や賞球払出制御回路３７等に信号を出力し、あるいは大入賞口作動ソレノイド３６を作動させ、入賞に対応した遊技処理を行う。
【００１９】
上記図柄制御回路３３は、種々の図柄（画像）を図柄表示装置６に表示させる制御回路である。また、効果音制御回路３４は、種々の効果音（合成音声を含む。）をスピーカ３４ａから発生させる制御回路である。更に表示灯制御回路３５は、図１に示す盤面１ａ上の種々の装飾表示灯１１を点消灯させる制御回路である。大入賞口作動ソレノイド３６は、大当り動作時に作動して大入賞口９を開放させるソレノイドである。賞球払出制御回路３７は、入賞に対応した賞球の払出しを賞球装置３７ａに行わせる制御回路である。
【００２０】
ここで上記主制御回路３２は、遊技動作中、大当り決定乱数を所定の周期でカウンタ（図示せず）から生成させ、図１に示す始動入賞口７への遊技球入賞時、つまり始動入賞球センサ３１ａが始動入賞球を検出した時に生成された上記乱数の値（乱数値）を取得し、予め設定されている大当り値と比較（大当り抽選）する。そして主制御回路３２は、その乱数値と大当り値とが一致する場合に大当りと判定し、以下に述べる大当り処理をする。
【００２１】
具体的には、図１に示す始動入賞口７に遊技球が入賞すると、主制御回路３２は、始動入賞球センサ３１ａからの信号を受けて、上記大当り抽選をする。同時に、入賞に対する賞球の払出しを行わせるための賞球払出信号を出力すると共に、図柄変動開始信号を生成し、図柄制御回路３３を介して図柄表示装置６を制御し、その画面６ａの左、中、右表示領域ＬＡ，ＣＡ，ＲＡの各々に表示されている図柄Ｌ，Ｃ，Ｒの変動を開始させる。
【００２２】
上記３つの図柄Ｌ，Ｃ，Ｒは、最終的に停止するが、上記大当り抽選結果が大当りであれば、その停止時の図柄Ｌ，Ｃ，Ｒが所定の種類の図柄、例えば「７、７、７」で揃う大当り図柄表示を行う（図１参照）。
図柄表示装置６が大当り図柄表示を行う（大当りになる）と大入賞口９が開放し、より多くの入賞、すなわち賞球獲得が実現される。
【００２３】
大当り処理は、図３に示す大入賞口作動ソレノイド３６の作動による上記大入賞口９の開放動作の他、図柄表示装置６、効果音出力装置３４ａ、装飾表示灯１１等による種々の演出動作（画像表示、効果音発生、表示灯点消灯動作）や賞球装置３７ａによる賞球払出動作を含む。
【００２４】
このように主制御回路３２は、賞媒体、ここでは賞球の払出数の多少に大きく係わる制御回路であり、不正行為の標的になりやすい。すなわち、主制御回路３２部分の全部又は一部（基板）を、変造された別の回路（基板）に交換し、あるいは主制御回路３２に接続されたハーネス部分（図示せず）を別の回路を付けて交換する等により、例えば大当りを引きやすくして、多くの賞球を払い出させるような不正行為が行われやすい。
【００２５】
そこで本発明においては、上述した電源断表示灯ＬＰ（ＬＰ１〜ＬＰ５）に加えて、電源断表示灯制御手段４１と電源断確認スイッチ４２とが設けられている。
この場合、電源断表示灯制御手段４１は、電源断表示灯ＬＰ（ＬＰ１〜ＬＰ５）の点消灯スイッチング制御の形態（点滅パターン）が予め設定、保持された制御回路である。
点消灯スイッチング制御の形態（点消灯スイッチング制御形態）は、ここでは電源断表示灯ＬＰ１が０．２秒点灯したら、同ＬＰ２が０．２秒点灯し、次にＬＰ３が０．２秒点灯し、その後ＬＰ４が０．２秒点灯した後、ＬＰ５が０．２秒点灯する。以下同様にＬＰ１〜ＬＰ５が繰り返し点灯する、つまりＬＰ１〜ＬＰ５が０．２秒間ずつ順次かつサイクリックに単独点灯するという制御形態を採る。なお、電源断表示灯ＬＰの個数や点灯時間等はこの例のみに限定されない。
【００２６】
この電源断表示灯制御手段４１は、電源回路３０からの主制御回路３２への電源供給開始時、通常、電源投入操作時には、主制御回路３２から送られてくる初期化コマンドにより初期化された制御手順位置、具体的には制御プログラムの最初から、上記点消灯スイッチング制御を電源断表示灯ＬＰに対して未給電状態で（実際には点消灯させずに）開始する制御回路である。
【００２７】
電源断確認スイッチ４２は、所望時にオン作動可能で、このオン作動により電源断表示灯制御手段４１による電源断表示灯ＬＰ（ＬＰ１〜ＬＰ５）の点消灯スイッチング制御をその時点から給電状態で（実際に点消灯させて）行わせるスイッチである。
【００２８】
図３に示す例では、電源断表示灯制御手段４１は表示灯制御回路３５内に組み込み構成されている。例えば、表示灯制御回路３５が図示しないＣＰＵ、ＲＯＭ及びＲＡＭ等を備え、そのＣＰＵがＲＯＭ等に格納された制御プログラムを実行して装飾表示灯１１を点消灯させるように構成されている場合には、電源断表示灯制御手段４１は、その機能が上記制御プログラムに記述され、実行されるように構成される。このような場合には、上記点消灯スイッチング制御形態は、上記制御プログラム中に点消灯スイッチング制御プログラム部として記述して任意に設定可能である。制御回路３３〜３５を、共通のＣＰＵ、ＲＯＭ及びＲＡＭ等（図示せず）を用い、そのＲＯＭ等に格納された制御プログラムを実行して制御回路３３〜３５（電源断表示灯制御手段４１を含む。）の全ての機能を実行するような構成にしてもよい。
また図３に示す例では、電源断確認スイッチ４２は扉開放センサ２２に兼用されている。なお、電源断表示灯ＬＰ（ＬＰ１〜ＬＰ５）は、上述したように前面開閉扉１６（図２参照）の開操作によりオン作動する扉開放センサ２２によって点表示灯動作する扉開放表示灯を兼用している。
【００２９】
以下、このような電源断表示灯制御手段４１の動作を図４を併用して説明するが、それに先立ち、各制御回路３２〜３５，３７の電源投入操作時の動作について説明する。
各制御回路３２〜３５，３７は、図４には示されていないが、パチンコ遊技場の開店前、電源回路３０からの電源が投入操作された時（電源供給開始時）に初期化される。具体的には、各制御回路３２〜３５，３７に内蔵するＲＡＭの０クリア等により制御状態が初期化される。制御回路３３〜３５，３７は、主制御回路３２からの初期化コマンドにより初期化される。通常は、閉店後、電源を落とす（電源遮断する）までの間、上記開店前の電源投入操作以外の理由で初期化されることはない。
表示灯制御回路３５内の電源断表示灯制御手段４１に設定、保持された電源断表示灯ＬＰ（ＬＰ１〜ＬＰ５）の点消灯スイッチング制御形態（点滅パターン）も同様で、通常は、閉店後の電源遮断までの間、上記開店前の電源投入操作以外の理由で初期化されることはない。
【００３０】
電源断表示灯制御手段４１は、まずステップ４０１において、主制御回路３２からの初期化コマンドを受信したか否かを判定し、受信したのであればステップ４０２で点消灯スイッチング制御形態（点滅パターン）を初期化する。ステップ４０１→ステップ４０２の連続処理は、主制御回路３２への電源供給開始時、通常、パチンコ遊技場の開店前、電源回路３０からの電源が投入操作された時に１回（１日１回）だけ行われる。また、パチンコ遊技場には通常、多数台のパチンコ機が設置されるが、これら多数台のパチンコ機につき一斉に、例えば島単位あるいは一列毎に一斉に行われる。
【００３１】
ステップ４０３においては、点灯する電源断表示灯ＬＰがＬＰ１〜ＬＰ５のどれかを点滅パターンに従って判断し、該当する電源断表示灯ＬＰを点灯させる。遊技場開店前の電源投入操作時には、ステップ４０１において点滅パターンが初期化されているのでＬＰ１が選択、点灯される。
ステップ４０４では、点灯中の電源断表示灯ＬＰの点灯時間が規定値、ここでは０．２秒に達したか否かを判定する。達していれば、ステップ４０５で次の電源断表示灯ＬＰ、ここではＬＰ２が点灯される。達していなければ、ステップ４０６に跳ぶ。
【００３２】
ステップ４０６では、図２に示す前面開閉扉１６が開放中（扉開放センサ２２；電源断確認スイッチ４２がオン作動中）か否かを判定する。開放中であれば、ステップ４０７を実行後に、開放中でなければその時点で、初回（１巡目）の処理を終了する。
ステップ４０７では、このステップ４０７の実行時点から、実際に電源断表示灯ＬＰの点灯を開始、つまり電源断表示灯ＬＰに対して給電状態で点消灯スイッチング制御を開始する。
このステップ４０７を実行する前のステップ４０３〜４０５の説明において、「点灯」とは、電源断表示灯ＬＰに対して未給電状態で、つまり実際には点灯させていない点消灯スイッチング制御状態を指す。
【００３３】
上述ステップ４０１〜４０７は、所定の周期、例えば４ｍｓの間隔で繰り返されるが、２巡目以降、遊技場閉店後の電源遮断がされるまでは、ステップ４０１の判定結果はＮＯ（否）となる。この間は、主制御回路３２から初期化コマンドは送信されないからである。
２巡目以降のステップ４０３及びステップ４０５の処理は、ＲＡＭ等に設定、保持された点滅パターンに従う。つまり、各巡においてステップ４０３及びステップ４０５では、現在点灯中の電源断表示灯ＬＰにつき、それが点滅パターン（各ＬＰの点灯順序、周期）に従い、更新点灯されて行く。
ステップ４０７が実行されない限り、この２巡目以降のステップ４０３〜４０５における「点灯」についても、電源断表示灯ＬＰを実際には点灯させていない点消灯スイッチング制御状態を指す。
【００３４】
上述したように、ステップ４０７では、その実行時点から、実際に電源断表示灯ＬＰの点灯（ＬＰ１〜ＬＰ５の点消灯）を開始するが、上記前面開閉扉１６の開放は、遊技場の閉店後、電源遮断前、釘調整等のために行われるので、遊技場閉店前は行われず、この間、ステップ４０７は実行されない。遊技場閉店後に、ステップ４０７が実行されると、その処理動作は、電源回路３０からの電源が遮断されるまで継続する。
【００３５】
以上の動作を、多数台のパチンコ機が設置された遊技場において、各パチンコ機に本発明が適用されている場合につき、説明する。
いま、遊技場閉店後、電源遮断前、釘調整等のために全ての、あるいは殆どのパチンコ機につき各々前面開閉扉１６（図２参照）が開放されたとする。
すると、図４に示すフローチャートのステップ４０６の実行時、前面開閉扉１６が開放（ＹＥＳ）と判定され、ステップ４０７で電源断表示灯ＬＰの実際の点灯（ＬＰ１〜ＬＰ５の点消灯）が開始される。
ここで、遊技場の稼働中に、あるパチンコ機に不正行為、例えば主制御回路３２の全部又は一部が搭載された基板の変造基板への交換がなされたとすると、主制御回路３２への電源供給は一時遮断される。その後、電源供給は再開（電源復帰）されるが、この場合は、図４に示すフローチャートのステップ４０１→ステップ４０２の連続処理が行われる。したがって、点滅パターンは初期化され、最初の制御手順位置から点消灯スイッチング制御が開始、つまり電源断表示灯ＬＰ１から点灯開始される。上述したように、ステップ４０１→ステップ４０２の連続処理は、電源回路３０からの電源供給が開始された時（電源供給開始時）に行われるからである。
【００３６】
ここで、電源投入操作時及び電源復帰時のいずれの場合も、点消灯スイッチング制御形態（点滅パターン）自体は共通であるから、各電源断表示灯ＬＰ１〜ＬＰ５は０．２秒間ずつ、ＬＰ１から順次かつサイクリックに単独点灯する。しかし、点滅パターンが上記電源投入操作時に１回だけ初期化された場合と、電源供給が一時遮断され、その後（電源復帰時）、再び初期化された場合とでは、電源断表示灯ＬＰ１の点灯開始時点が異なる。電源復帰時に点灯し始める電源断表示灯ＬＰが電源投入操作時のみに初期化されたときと同じ電源断表示灯ＬＰとなる場合が考えられるが、ごくまれなケースである。仮に、同じ電源断表示灯ＬＰとなった場合でも、各電源断表示灯ＬＰ（ＬＰ１を含む）は０．２秒間点灯するので、その点灯開始，終了時点まで一致することは殆どないと考えられる。
したがって、本発明が適用された多数台（２台であると後述比較ができないので３台以上）のパチンコ機の電源断表示灯ＬＰ１〜ＬＰ５の点消灯状態（点灯順序、周期）を相互比較して見て行けば、稼働中に電源断、ここでは不正行為がなされた遊技機を知ることができる。あるパチンコ機のみ、あるいはごく限られたパチンコ機のみが、その他の大多数のパチンコ機と、異なる点消灯状態となっていれば、そのパチンコ機が、不正行為がなされたパチンコ機であると判断できる。つまり、極めて簡単、一目瞭然に不正行為がなされたことを判断できる。
電源断表示灯ＬＰ１〜ＬＰ５は、稼働中に不正行為がなされたパチンコ機について、遊技場の稼働中は点消灯させず、しかし、閉店後には必ず点消灯させるので、遊技者の遊技の邪魔をせず、しかも遊技場管理者側において確実に、かつ早い時点でそれを知ることができる。
【００３７】
また上述実施形態によれば、電源断確認スイッチ４２を扉開放センサ２２に兼用させ、電源断表示灯ＬＰを前面開閉扉１６の前面側に設けたので、多数台のパチンコ機について、電源断があったか否かの表示を各パチンコ機配列毎に一度に見渡せ、不正行為の発見を簡単かつ効率よく行うことができる。
すなわち、パチンコ遊技場においては、上述したように島と呼ばれる領域の左右方向に多数台のパチンコ機が配列されているのが一般的であり、また閉店後、電源を落とす前、釘調整等のためパチンコ機全台につき、各々前面開閉扉を開放しておくことが多い。このような場合において、本実施形態によれば、パチンコ機の前面開閉扉の開放に伴って、つまり何ら特別の操作をすることなく、しかも、配列された多数台のパチンコ機について、電源断があったか否かの表示を各パチンコ機配列毎に一度に見渡せ、不正行為の発見を簡単かつ効率よく行うことができる。
【００３８】
なお上述実施形態では、電源断を、主として不正行為の発見に利用したが、広く電源断があったことの判定に用いてもよいことは勿論である。
また、適用可能な遊技機もパチンコ機のみに限定されることはない。
更に、上述実施形態では、扉開放センサ２２（電源断確認スイッチ４２）を主制御回路３２に直接接続し、扉開放センサ２２のオン作動を主制御回路３２に直接与えるように構成したが、これのみに限定されることはない。扉開放センサ２２が賞球払出制御回路３７に接続され、賞球払出情報と共に扉開放情報を遊技場管理者側のコンピュータに送信するようなシステムにおいては、扉開放センサ２２のオン作動を、賞球払出制御回路３７経由で主制御回路３２に与えるようにしてもよい。
また、電源断表示灯制御手段４１を主制御回路３２内に組み込み構成してもよい。
【図面の簡単な説明】
【００３９】
【図１】本発明が適用されたパチンコ機の一実施形態の要部を示す正面図である。
【図２】同上パチンコ機をその前面開閉扉を開放した状態で示す斜視図である。
【図３】同上パチンコ機の要部を示すブロック図である。
【図４】図３中の電源断表示灯制御手段の動作を説明するためのフローチャートである。
【符号の説明】
【００４０】
２２：扉開放センサ、３２：主制御回路（制御手段）、３０電源回路、３５：表示灯制御回路、４１：電源断表示灯制御手段、４２：電源断確認スイッチ、ＬＰ（ＬＰ１〜ＬＰ５）：電源断表示灯。
【図１】
2005066172.tif 000003
【図２】
2005066172.tif 000004
【図３】
2005066172.tif 000005
【図４】
2005066172.tif 000006